(57)【要約】無線通信環境において不連続送信（ＤＴＸ）をシグナルし検出することを容易にするシステムおよび方法が記述される。アクセス端末がアクノレッジメント・チャネルについてＤＴＸモードで動作している場合、ＤＴＸインジケータおよびチャネル品質インジケータ（ＣＱＩ）フィードバックが、共通のアップリンク制御チャネル・サブフレーム内で多重化され、基地局へ送信されうる。さらに、非ＤＴＸモードで動作している場合、アクセス端末は、共通のアップリンク制御チャネル・サブフレーム内で、ＣＱＩフィードバックとともに、ＡＣＫインジケータまたはＮＡＫインジケータを多重化しうる。これらは、その後、基地局へ転送されうる。したがって、基地局は、アクセス端末のＤＴＸ動作または非ＤＴＸ動作を検出しうる。例えば、基準信号シンボルは、ＤＴＸインジケータ、ＡＣＫインジケータ、あるいはＮＡＫインジケータのうちの１つを伝送しうる。別の例によれば、ＣＱＩフィードバックおよびＤＴＸインジケータは、結合され、非基準信号シンボルによってともに伝送されうる。
2011514735.tif 000002
【特許請求の範囲】
【請求項１】
無線通信環境において基地局へ不連続送信（ＤＴＸ）をシグナルすることを容易にする方法であって、
ダウンリンク制御チャネルが正しく復号されなかったと判定された場合、前記ダウンリンク制御チャネルに対応するアップリンク制御チャネル・サブフレーム内で、チャネル品質インジケータ（ＣＱＩ）情報とＤＴＸインジケータとを符号化することと、
前記符号化されたアップリンク制御チャネル・サブフレームを基地局へ送信することと
を備える方法。
【請求項２】
前記ダウンリンク制御チャネルが正しく復号されたと判定された場合、前記ダウンリンク制御チャネルに対応するアップリンク制御チャネル・サブフレーム内で、アクノレッジ・キャラクタ（ＡＣＫ）インジケータまたは否定的なアクノレッジ・キャラクタ（ＮＡＫ）インジケータのうちの１つと、前記ＣＱＩ情報とを符号化することをさらに備える請求項１に記載の方法。
【請求項３】
前記ダウンリンク制御チャネルによって送信された、前記アップリンク制御チャネルに対応する割当が受信および復号されたかを認識することによって、前記ダウンリンク制御チャネルが正しく復号されたかを判定することをさらに備える請求項２に記載の方法。
【請求項４】
前記ＤＴＸインジケータ、前記ＡＣＫインジケータ、または前記ＮＡＫインジケータのうちの１つを含めるように、スロット内の基準信号シンボルを符号化することと、
前記ＣＱＩ情報を含めるように、前記スロット内の非基準信号シンボルを符号化することと
をさらに備える請求項２に記載の方法。
【請求項５】
前記ＤＴＸインジケータを組み込む場合、前記スロット内の基準信号シンボルのために第１のマッピングを適用することと、
前記ＡＣＫインジケータを組み込む場合、前記スロット内の基準信号シンボルのために第２のマッピングを利用することと、
前記ＮＡＫインジケータを組み込む場合、前記スロット内の基準信号シンボルのために第３のマッピングを使用することと
をさらに備える請求項４に記載の方法。
【請求項６】
前記ＤＴＸインジケータを組み込むために、前記第１のマッピングを適用する場合、前記スロット内の第１の基準信号シンボルを１に、前記スロット内の第２の基準信号シンボルをｊに設定することと、
前記ＡＣＫインジケータを組み込むために、前記第２のマッピングを利用する場合、前記スロット内の第１の基準信号シンボルを１に、前記スロット内の第２の基準信号シンボルを−１に設定することと、
前記ＮＡＫインジケータを組み込むために、前記第３のマッピングを使用する場合、前記スロット内の第１の基準信号シンボルを１に、前記スロット内の第２の基準信号シンボルを１に設定することと
をさらに備える請求項５に記載の方法。
【請求項７】
前記ＤＴＸインジケータを組み込むために、前記第１のマッピングを適用する場合、前記スロット内の第１の基準信号シンボルを１に、前記スロット内の第２の基準信号シンボルを１に設定することと、
前記ＡＣＫインジケータを組み込むために、前記第２のマッピングを利用する場合、前記スロット内の第１の基準信号シンボルを１に、前記スロット内の第２の基準信号シンボルを−１に設定することと、
前記ＮＡＫインジケータを組み込むために、前記第３のマッピングを使用する場合、前記スロット内の第１の基準信号シンボルを１に、前記スロット内の第２の基準信号シンボルを１に設定することと
をさらに備える請求項５に記載の方法。
【請求項８】
ダウンリンク複数入力複数出力（ＭＩＭＯ）動作に関連するＤＴＸモードである場合、前記スロット内の第１の基準信号シンボルを１に、前記スロット内の第２の基準信号シンボルを１に設定することをさらに備える請求項４に記載の方法。
【請求項９】
前記ＣＱＩ情報を表すビットのセットへ、送信状態ビットを追加することと、
ＤＴＸ動作または非ＤＴＸ動作のうちの１つをシグナルするために、前記送信状態ビットの値を設定することと、
前記送信状態ビット、および、前記ＣＱＩ情報を表すビットをともに、スロット内の非基準信号シンボルにおいて符号化することと
をさらに備える請求項２に記載の方法。
【請求項１０】
前記送信状態ビットは、ＤＴＸ動作または非ＤＴＸ動作のうちの１つに基づいて、特定のリード・ミュラー（ＲＭ）ベースのベクトルを線型的に追加するか、追加しないかをトグルする請求項９に記載の方法。
【請求項１１】
無線通信装置であって、
ダウンリンク制御チャネルが正しく復号されなかったと判定された場合、前記ダウンリンク制御チャネルに対応するアップリンク制御チャネル・サブフレーム内で、チャネル品質インジケータ（ＣＱＩ）情報と不連続送信（ＤＴＸ）インジケータとを符号化することと、前記ダウンリンク制御チャネルが正しく復号されたと判定された場合、前記ダウンリンク制御チャネルに対応するアップリンク制御チャネル・サブフレーム内で、アクノレッジ・キャラクタ（ＡＣＫ）インジケータまたは否定的なアクノレッジ・キャラクタ（ＮＡＫ）インジケータのうちの１つと、前記ＣＱＩ情報とを符号化することと、前記符号化されたアップリンク制御チャネル・サブフレームを基地局へ送信することと、に関連する命令群を備えるメモリと、
前記メモリに接続され、前記メモリに保持された命令群を実行するように構成されたプロセッサと
を備える無線通信装置。
【請求項１２】
前記メモリはさらに、前記ダウンリンク制御チャネルによって送信された、前記アップリンク制御チャネルに対応する割当が受信および復号されたかを認識することによって、前記ダウンリンク制御チャネルが正しく復号されたかを判定すること、に関連する命令群を保持する請求項１１に記載の無線通信装置。
【請求項１３】
前記メモリはさらに、前記ＤＴＸインジケータ、前記ＡＣＫインジケータ、または前記ＮＡＫインジケータのうちの１つを含めるように、スロット内の基準信号シンボルを符号化することと、前記ＣＱＩ情報を含めるように、前記スロット内の非基準信号シンボルを符号化することと、に関連する命令群を保持する請求項１１に記載の無線通信装置。
【請求項１４】
前記メモリはさらに、前記ＤＴＸインジケータを組み込む場合、前記スロット内の基準信号シンボルのために第１のマッピングを適用することと、前記ＡＣＫインジケータを組み込む場合、前記スロット内の基準信号シンボルのために第２のマッピングを利用することと、前記ＮＡＫインジケータを組み込む場合、前記スロット内の基準信号シンボルのために第３のマッピングを使用することと、に関連する命令群を保持する請求項１３に記載の無線通信装置。
【請求項１５】
前記メモリはさらに、前記ＤＴＸインジケータを組み込むために、前記第１のマッピングを適用する場合、前記スロット内の第１の基準信号シンボルを１に、前記スロット内の第２の基準信号シンボルをｊに設定することと、前記ＡＣＫインジケータを組み込むために、前記第２のマッピングを利用する場合、前記スロット内の第１の基準信号シンボルを１に、前記スロット内の第２の基準信号シンボルを−１に設定することと、前記ＮＡＫインジケータを組み込むために、前記第３のマッピングを使用する場合、前記スロット内の第１の基準信号シンボルを１に、前記スロット内の第２の基準信号シンボルを１に設定することと、に関連する命令群を保持する請求項１４に記載の無線通信装置。
【請求項１６】
前記メモリはさらに、前記ＤＴＸインジケータを組み込むために、前記第１のマッピングを適用する場合、前記スロット内の第１の基準信号シンボルを１に、前記スロット内の第２の基準信号シンボルを１に設定することと、前記ＡＣＫインジケータを組み込むために、前記第２のマッピングを利用する場合、前記スロット内の第１の基準信号シンボルを１に、前記スロット内の第２の基準信号シンボルを−１に設定することと、前記ＮＡＫインジケータを組み込むために、前記第３のマッピングを使用する場合、前記スロット内の第１の基準信号シンボルを１に、前記スロット内の第２の基準信号シンボルを１に設定することと、に関連する命令群を保持する請求項１４に記載の無線通信装置。
【請求項１７】
前記メモリはさらに、ダウンリンク複数入力複数出力（ＭＩＭＯ）動作に関連するＤＴＸモードである場合、前記スロット内の第１の基準信号シンボルを１に、前記スロット内の第２の基準信号シンボルを１に設定すること、に関連する命令群を保持する請求項１３に記載の無線通信装置。
【請求項１８】
前記メモリはさらに、前記ＣＱＩ情報を表すビットのセットへ、送信状態ビットを追加することと、ＤＴＸ動作または非ＤＴＸ動作のうちの１つをシグナルするために、前記送信状態ビットの値を設定することと、前記送信状態ビット、および、前記ＣＱＩ情報を表すビットをともに、スロット内の非基準信号シンボルにおいて符号化することと、に関連する命令群を保持する請求項１１に記載の無線通信装置。
【請求項１９】
前記送信状態ビットは、ＤＴＸ動作または非ＤＴＸ動作のうちの１つに基づいて、特定のリード・ミュラー（ＲＭ）ベースのベクトルを線型的に追加するか、追加しないかをトグルする請求項１８に記載の無線通信装置。
【請求項２０】
無線通信環境において基地局へチャネル品質インジケータ（ＣＱＩ）情報とともに不連続送信（ＤＴＸ）をシグナルすることを可能にする無線通信装置であって、
ダウンリンク制御チャネルおよびダウンリンク・データ・チャネルが正しく復号されたか、前記ダウンリンク制御チャネルの復号に失敗したか、前記ダウンリンク・データ・チャネルの復号に失敗したかを区別する少なくとも１つのインジケータを備えたＣＱＩ情報を含むようにアップリンク制御チャネル・サブフレームを符号化する手段と、
前記アップリンク制御チャネル・サブフレームを基地局へ送信する手段と
を備える無線通信装置。
【請求項２１】
前記アップリンク制御チャネル・サブフレーム内のシンボルの共通のセットについて、前記ＣＱＩ情報にＤＴＸインジケータを組み込む手段をさらに備える請求項２０に記載の無線通信装置。
【請求項２２】
前記シンボルの共通のセットは、非基準信号シンボルを含む請求項２１に記載の無線通信装置。
【請求項２３】
前記アップリンク制御チャネル・サブフレーム内の基準信号シンボルにＤＴＸインジケータを含める手段をさらに備える請求項２０に記載の無線通信装置。
【請求項２４】
前記ＣＱＩ情報は、前記アップリンク制御チャネル・サブフレーム内の非基準信号シンボルに含まれる請求項２３に記載の無線通信装置。
【請求項２５】
可能なマッピングのセットから、前記ＤＴＸインジケータに対応する特定のマッピングが、前記基準信号シンボルに適用される請求項２３に記載の無線通信装置。
【請求項２６】
前記特定のマッピングは、スロット内の第１の基準信号シンボルを１に、前記スロット内の第２の基準信号シンボルをｊに設定することを含む請求項２５に記載の無線通信装置。
【請求項２７】
前記特定のマッピングは、スロット内の第１の基準信号シンボルを１に、前記スロット内の第２の基準信号シンボルを１に設定することを含む請求項２５に記載の無線通信装置。
【請求項２８】
コンピュータ読取可能媒体を備えるコンピュータ・プログラム製品であって、
前記コンピュータ読取可能媒体は、
ダウンリンク制御チャネルおよびダウンリンク・データ・チャネルが正しく復号されたか、前記ダウンリンク制御チャネルの復号に失敗したか、前記ダウンリンク・データ・チャネルの復号に失敗したかを区別する少なくとも１つのインジケータを備えたチャネル品質インジケータ（ＣＱＩ）情報を含むようにアップリンク制御チャネル・サブフレームを符号化するためのコードと、
前記アップリンク制御チャネル・サブフレームを基地局へ転送するためのコードと
を備えるコンピュータ・プログラム製品。
【請求項２９】
前記コンピュータ読取可能媒体は、前記アップリンク制御チャネル・サブフレーム内のシンボルの共通のセットにおいて、前記ＣＱＩ情報にＤＴＸインジケータを組み込むためのコードをさらに備える請求項２８に記載のコンピュータ・プログラム製品。
【請求項３０】
前記コンピュータ読取可能媒体は、前記アップリンク制御チャネル・サブフレーム内の基準信号シンボルにＤＴＸインジケータを含めるためのコードをさらに備える請求項２８に記載のコンピュータ・プログラム製品。
【請求項３１】
可能なマッピングのセットから、前記ＤＴＸインジケータに対応する特定のマッピングが、前記基準信号シンボルに適用される請求項３０に記載のコンピュータ・プログラム製品。
【請求項３２】
前記特定のマッピングは、スロット内の第１の基準信号シンボルを１に、前記スロット内の第２の基準信号シンボルをｊに設定することを含む請求項３１に記載のコンピュータ・プログラム製品。
【請求項３３】
前記特定のマッピングは、スロット内の第１の基準信号シンボルを１に、前記スロット内の第２の基準信号シンボルを１に設定することを含む請求項３１に記載のコンピュータ・プログラム製品。
【請求項３４】
無線通信システムにおける装置であって、
ダウンリンク制御チャネルによって送信された、アップリンク制御チャネルに対応する割当が受信および復号されたかを認識することによって、前記ダウンリンク制御チャネルが正しく復号されたかを判定し、
前記ダウンリンク制御チャネルが正しく復号されなかったと判定された場合、前記ダウンリンク制御チャネルに対応するアップリンク制御チャネル・サブフレーム内のＤＴＸインジケータおよびチャネル品質インジケータ（ＣＱＩ）情報を符号化し、
前記ダウンリンク制御チャネルが正しく復号されたと判定された場合、前記ダウンリンク制御チャネルに対応するアップリンク制御チャネル・サブフレーム内のアクノレッジ・キャラクタ（ＡＣＫ）インジケータあるいは否定的なアクノレッジ・キャラクタ（ＮＡＫ）インジケータのうちの１つおよび前記ＣＱＩ情報を符号化し、
前記符号化されたアップリンク制御チャネル・サブフレームを基地局へ送信する
ように構成されたプロセッサを備える装置。
【請求項３５】
無線通信環境において不連続送信（ＤＴＸ）を検出することを容易にする方法であって、
アクセス端末からアップリンク制御チャネル・サブフレームを受信することと、
前記アクセス端末からのチャネル品質インジケータ（ＣＱＩ）フィードバックを識別するために、前記アップリンク制御チャネル・サブフレームを復号することと、
前記アクセス端末によって遭遇されたダウンリンク・データ・チャネル復号誤り、ダウンリンク制御チャネル復号誤り、および正しい復号を区別する少なくとも１つのインジケータを検出するために、前記アップリンク制御チャネル・サブフレームを復号することと
を備える方法。
【請求項３６】
前記アップリンク制御チャネル・サブフレームが、ダウンリンク送信によって前記アクセス端末へ送られた割当に対応できない場合、前記アクセス端末によるＤＴＸ動作を仮定することをさらに備える請求項３５に記載の方法。
【請求項３７】
前記少なくとも１つのインジケータが、スロット内のシンボルの第１のセットから検出され、前記ＣＱＩフィードバックが、前記スロット内のシンボルの第２のセットから識別され、前記第１のセットおよび前記第２のセットは相互に排他的である請求項３５に記載の方法。
【請求項３８】
前記シンボルの第１のセットは、基準信号シンボルを含み、前記シンボルの第２のセットは、非基準信号シンボルを含む請求項３７に記載の方法。
【請求項３９】
前記少なくとも１つのインジケータは、前記アップリンク制御チャネル・サブフレーム内のシンボルのセットによって伝送されたＣＱＩ情報ビットに追加された送信状態ビットの値に少なくとも部分的に基づいて検出される請求項３５に記載の方法。
【請求項４０】
無線通信装置であって、
アクセス端末からアップリンク制御チャネル・サブフレームを取得することと、前記アクセス端末からのチャネル品質インジケータ（ＣＱＩ）フィードバックを識別するために、前記アップリンク制御チャネル・サブフレームを復号することと、前記アクセス端末によって遭遇されたダウンリンク・データ・チャネル復号誤り、ダウンリンク制御チャネル復号誤り、および正しい復号を区別する少なくとも１つのインジケータを検出するために、前記アップリンク制御チャネル・サブフレームを復号することと、に関連する命令群を保持するメモリと、
前記メモリに接続され、前記メモリに保持された命令群を実行するように構成されたプロセッサと
を備える無線通信装置。
【請求項４１】
前記少なくとも１つのインジケータが、スロット内のシンボルの第１のセットから検出され、前記ＣＱＩフィードバックが、前記スロット内のシンボルの第２のセットから識別され、前記第１のセットおよび前記第２のセットは相互に排他的である請求項４０に記載の無線通信装置。
【請求項４２】
前記シンボルの第１のセットは、基準信号シンボルを含み、前記シンボルの第２のセットは、非基準信号シンボルを含む請求項４１に記載の無線通信装置。
【請求項４３】
前記少なくとも１つのインジケータは、前記アップリンク制御チャネル・サブフレーム内のシンボルのセットによって伝送されたＣＱＩ情報ビットに追加された送信状態ビットの値に少なくとも部分的に基づいて検出される請求項４０に記載の無線通信装置。
【請求項４４】
無線通信環境においてアクセス端末によってシグナルされた不連続送信（ＤＴＸ）を検出することを可能にする無線通信装置であって、
アクセス端末からアップリンク制御チャネル・サブフレームを取得する手段と、
前記アクセス端末によって遭遇されたダウンリンク・データ・チャネル誤検出、ダウンリンク制御チャネル誤検出、および正しい復号を区別する少なくとも１つのインジケータと、チャネル品質インジケータ（ＣＱＩ）フィードバックとを認識するために、前記アップリンク制御チャネル・サブフレームを復号する手段と
を備える無線通信装置。
【請求項４５】
前記少なくとも１つのインジケータが、スロット内の基準信号シンボルから検出され、前記ＣＱＩフィードバックが、前記スロット内の非基準信号シンボルから識別される請求項４４に記載の無線通信装置。
【請求項４６】
前記少なくとも１つのインジケータは、前記アップリンク制御チャネル・サブフレーム内のシンボルのセットによって伝送されたＣＱＩ情報ビットに追加された送信状態ビットの値に少なくとも部分的に基づいて検出される請求項４４に記載の無線通信装置。
【請求項４７】
コンピュータ読取可能媒体を備えるコンピュータ・プログラム製品であって、
前記コンピュータ読取可能媒体は、
アクセス端末からアップリンク制御チャネル・サブフレームを受信するためのコードと、
前記アクセス端末によって遭遇されたダウンリンク・データ・チャネル誤検出、ダウンリンク制御チャネル誤検出、および正しい復号を区別する少なくとも１つのインジケータと、チャネル品質インジケータ（ＣＱＩ）フィードバックとを認識するために、前記アップリンク制御チャネル・サブフレームを復号するためのコードと
を備えるコンピュータ・プログラム製品。
【請求項４８】
前記少なくとも１つのインジケータが、スロット内の基準信号シンボルから検出され、前記ＣＱＩフィードバックが、前記スロット内の非基準信号シンボルから識別される請求項４７に記載のコンピュータ・プログラム製品。
【請求項４９】
前記少なくとも１つのインジケータは、前記アップリンク制御チャネル・サブフレーム内のシンボルのセットによって伝送されたＣＱＩ情報ビットに追加された送信状態ビットの値に少なくとも部分的に基づいて検出される請求項４７に記載のコンピュータ・プログラム製品。
【請求項５０】
無線通信システムにおける装置であって、
アクセス端末からアップリンク制御チャネル・サブフレームを取得し、
前記アクセス端末からのチャネル品質インジケータ（ＣＱＩ）フィードバックを発見するために、前記アップリンク制御チャネル・サブフレームを復号し、
前記アクセス端末によって遭遇されたダウンリンク・データ・チャネル復号誤り、ダウンリンク制御チャネル復号誤り、および正しい復号を区別する少なくとも１つのインジケータを認識するために、前記アップリンク制御チャネル・サブフレームを復号する、
ように構成されたプロセッサを備える装置。
【発明の詳細な説明】
【関連出願に対する相互参照】
【０００１】
本願は、２００８年２月８日に出願され"DTX ENCODING IN LTE UPLINK CONTROL"と題された米国仮出願６１／０２７，２５４号、および、２００８年３月２６日に出願され"DTX ENCODING IN LTE UPLINK CONTROL"と題された米国仮出願６１／０３９，５４８号の利益を要求する。上記出願の全体は、参照によって本明細書に組み込まれる。
【技術分野】
【０００２】
以下の説明は、一般に無線通信に関し、さらに詳しくは、無線通信システムにおけるアップリンク制御チャネルによる不連続送信（ＤＴＸ）に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
アクセス端末は、無線通信チャネルの品質を評価しうる。例えば、アクセス端末は、チャネル品質インジケータ（ＣＱＩ）のようなチャネル品質の尺度を生成しうる。それはアップリンク・チャネルによって基地局へレポートされうる。さらに、アクセス端末へ向けられたダウンリンク・データ・チャネルおよび／またはダウンリンク制御チャネルによって、基地局から情報が送信されうる。アクセス端末は、基地局へアクノレッジ・キャラクタ（ＡＣＫ）あるいは否定的なアクノレッジ・キャラクタ（ＮＡＫ）を送ることにより、ダウンリンク・データ・チャネルによって転送された情報の検出を肯定または否定しうる。しばしば、ＣＱＩ情報およびＡＣＫ／ＮＡＫ情報は、アクセス端末によって、共通のアップリンク制御チャネル・サブフレームにおいて多重化されうる。しかしながら、ＣＱＩ情報およびＡＣＫ／ＮＡＫ情報が同じアップリンク制御チャネル・サブフレームにおいて多重化される場合、従来技術では、アクセス端末は、基地局へレポートする際に、ダウンリンク・データ・チャネルによって送信された情報と、ダウンリンク制御チャネルによって送信された情報との間の誤り復号を区別できない。したがって、基地局は、アクセス端末が、ダウンリンク・データ・チャネルによって転送された情報の復号に失敗したか、および／または、ダウンリンク制御チャネルによって送信された情報の復号に失敗したかを識別することができない。
【発明の概要】
【０００９】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態およびその対応する開示によれば、さまざまな態様が、無線通信環境における不連続送信（ＤＴＸ）のシグナリングおよび検出を容易にすることに関して記載される。ＤＴＸインジケータおよびチャネル品質インジケータ（ＣＱＩ）フィードバックは、共通のアップリンク制御チャネル・サブフレーム内で多重化される。そして、アクセス端末が、アクノレッジメント（ＡＣＫ）チャネルに対してＤＴＸモードで動作している場合、基地局へ送信されうる。さらに、非ＤＴＸモードで動作している場合、アクセス端末は、共通のアップリンク制御チャネル・サブフレーム内で、ＣＱＩフィードバックを用いて、ＡＣＫインジケータまたはＮＡＫインジケータを多重化しうる。これらは、その後、基地局へ転送されうる。したがって、基地局は、アクセス端末のＤＴＸ動作または非ＤＴＸ動作を検出しうる。一例によれば、基準信号シンボルは、ＤＴＸインジケータ、ＡＣＫインジケータ、あるいはＮＡＫインジケータのうちの１つを伝送しうる。別の例によれば、ＣＱＩフィードバックおよびＤＴＸインジケータが結合され、非基準信号シンボルによってともに伝送されうる。
【００１１】
関連する態様によれば、無線通信環境において、基地局へ不連続送信（ＤＴＸ）をシグナリングすることを容易にする方法が本明細書において記載される。この方法は、ダウンリンク制御チャネルが正しく復号されなかったと判定された場合、ダウンリンク制御チャネルに対応するアップリンク制御チャネル・サブフレーム内のＤＴＸインジケータおよびチャネル品質インジケータ（ＣＱＩ）情報を符号化することを含みうる。さらに、この方法は、符号化されたアップリンク制御チャネル・サブフレームを基地局へ送信することを含みうる。
【００１２】
別の態様は、無線通信装置に関する。この無線通信装置は、メモリを含みうる。このメモリは、ダウンリンク制御チャネルが正しく復号されていないと判定された場合、ダウンリンク制御チャネルに対応するアップリンク制御チャネル・サブフレーム内でチャネル品質インジケータ（ＣＱＩ）情報および不連続送信（ＤＴＸ）インジケータを符号化することと、ダウンリンク制御チャネルが正しく復号されたと判定された場合、ダウンリンク制御チャネルに対応するアップリンク制御チャネル・サブフレーム内でアクノレッジ・キャラクタ（ＡＣＫ）インジケータまたは否定的なアクノレッジ・キャラクタ（ＮＡＫ）インジケータのうちの１つおよびＣＱＩ情報を符号化することと、符号化されたアップリンク制御チャネル・サブフレームを基地局へ送信することと、に関連する命令群を保持する。さらに、この無線通信装置は、メモリに接続され、メモリに保持された命令群を実行するように構成されたプロセッサを含みうる。
【００１３】
また別の態様は、無線通信環境においてチャネル品質インジケータ（ＣＱＩ）情報を伴う不連続送信（ＤＴＸ）の基地局へのシグナリングを可能にする無線通信装置に関する。この無線通信装置は、ダウンリンク制御チャネルおよびダウンリンク・データ・チャネルが正しく復号されたか、ダウンリンク制御チャネルの復号に失敗したか、ダウンリンク・データ・チャネルの復号に失敗したかを区別する少なくとも１つのインジケータを備えたＣＱＩ情報を含むようにアップリンク制御チャネル・サブフレームを符号化する手段を含みうる。さらに、この無線通信装置は、基地局へアップリンク制御チャネル・サブフレームを送信する手段を含みうる。
【００１４】
さらに別の態様は、コンピュータ読取可能媒体を備えるコンピュータ・プログラム製品に関する。このコンピュータ読取可能媒体は、ダウンリンク制御チャネルおよびダウンリンク・データ・チャネルが正しく復号されたか、ダウンリンク制御チャネルの復号に失敗したか、ダウンリンク・データ・チャネルの復号に失敗したかを区別する少なくとも１つのインジケータを備えたチャネル品質インジケータ（ＣＱＩ）情報を含むようにアップリンク制御チャネル・サブフレームを符号化するためのコードを含みうる。さらに、このコンピュータ読取可能媒体は、基地局へアップリンク制御チャネル・サブフレームを転送するためのコードを備えうる。
【００１５】
別の態様によれば、無線通信システムにおける装置は、プロセッサを含みうる。ここで、プロセッサは、ダウンリンク制御チャネルによって送られた、アップリンク制御チャネルに対応する割当が受信され復号されたかを認識することによって、ダウンリンク制御チャネルが正しく復号されたかを判定するように構成されうる。さらに、このプロセッサは、ダウンリンク制御チャネルが正しく復号されなかったと判定された場合、ダウンリンク制御チャネルに対応するアップリンク制御チャネル・サブフレーム内のＤＴＸインジケータおよびチャネル品質インジケータ（ＣＱＩ）情報を符号化するように構成されうる。さらに、このプロセッサは、ダウンリンク制御チャネルが正しく復号されたと判定された場合、ダウンリンク制御チャネルに対応するアップリンク制御チャネル・サブフレーム内のアクノレッジ・キャラクタ（ＡＣＫ）インジケータあるいは否定的なアクノレッジ・キャラクタ（ＮＡＫ）インジケータのうちの１つおよびＣＱＩ情報を符号化するように構成されうる。このプロセッサはまた、符号化されたアップリンク制御チャネル・サブフレームを基地局へ送信するように構成されうる。
【００１６】
他の態様によれば、無線通信環境において不連続送信（ＤＴＸ）を検出することを容易にする方法が、本明細書において記載される。この方法は、アクセス端末からアップリンク制御チャネル・サブフレームを受信することを含みうる。さらに、この方法は、アクセス端末からのチャネル品質インジケータ（ＣＱＩ）フィードバックを識別するために、アップリンク制御チャネル・サブフレームを復号することを含みうる。さらに、この方法は、アクセス端末によって遭遇されたダウンリンク・データ・チャネル復号誤り、ダウンリンク制御チャネル復号誤り、および、正しい復号を区別する少なくとも１つのインジケータを検出するために、アップリンク制御チャネル・サブフレームを復号することを含みうる。
【００１７】
また別の態様は、メモリを含む無線通信装置に関する。このメモリは、アクセス端末からアップリンク制御チャネル・サブフレームを取得することと、アクセス端末からのチャネル品質インジケータ（ＣＱＩ）フィードバックを識別するためにアップリンク制御チャネル・サブフレームを復号することと、アクセス端末によって遭遇されたダウンリンク・データ・チャネル復号誤り、ダウンリンク制御チャネル復号誤り、および正しい復号を区別する少なくとも１つのインジケータを検出するためにアップリンク制御チャネル・サブフレームを復号することとに関連する命令群を保持する。さらに、この無線通信装置は、メモリに接続され、メモリに保持された命令群を実行するように構成されたプロセッサを備えうる。
【００１８】
別の態様は、無線通信環境においてアクセス端末によってシグナルされた不連続送信（ＤＴＸ）を検出することを可能にする無線通信装置に関する。この無線通信装置は、アクセス端末からアップリンク制御チャネル・サブフレームを取得する手段を含みうる。さらに、この無線通信装置は、アクセス端末によって遭遇されたダウンリンク・データ・チャネル誤検出、ダウンリンク制御チャネル誤検出、および正しい復号を区別する少なくとも１つのインジケータと、チャネル品質インジケータ（ＣＱＩ）フィードバックとを認識するために、アップリンク制御チャネル・サブフレームを復号する手段を含みうる。
【００１９】
また、別の態様は、コンピュータ読取可能媒体を備えうるコンピュータ・プログラム製品に関する。このコンピュータ読取可能媒体は、アクセス端末からアップリンク制御チャネル・サブフレームを受信するためのコードを含みうる。さらに、このコンピュータ読取可能媒体は、アクセス端末によって経験されたダウンリンク・データ・チャネル誤検出、ダウンリンク制御チャネル誤検出、および正しい復号を区別する少なくとも１つのインジケータと、チャネル品質インジケータ（ＣＱＩ）フィードバックとを認識するために、アップリンク制御チャネル・サブフレームを復号するためのコードを含みうる。
【００２０】
別の態様によれば、無線通信システムにおける装置は、プロセッサを含みうる。ここで、このプロセッサは、アクセス端末からアップリンク制御チャネル・サブフレームを取得するように構成されうる。さらに、このプロセッサは、アクセス端末からチャネル品質インジケータ（ＣＱＩ）フィードバックを発見するために、アップリンク制御チャネル・サブフレームを復号するように構成されうる。さらに、このプロセッサは、アクセス端末によって遭遇されたダウンリンク・データ・チャネル誤検出、ダウンリンク制御チャネル誤検出、および正しい復号を区別する少なくとも１つのインジケータを認識するために、アップリンク制御チャネル・サブフレームを復号するように構成されうる。
【００２１】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００２２】
【図１】図１は、本明細書に記載されたさまざまな態様にしたがう無線通信システムの実例である。
【図２】図２は、無線通信環境においてＤＴＸシグナリングを適用するシステムの実例である。
【図３】図３は、無線通信環境においてＤＴＸをシグナルするために基準信号を利用するシステムの実例である。
【図４】図４は、無線通信環境においてＣＱＩ情報を用いてＤＴＸ情報を符号化するシステムの実例である。
【図５】図５は、無線通信環境においてＤＴＸシグナリングに関して適用されうるＰＵＣＣＨサブフレームの実例である。
【図６】図６は、無線通信環境において基地局へ不連続送信（ＤＴＸ）をシグナルすることを容易にする方法の実例である。
【図７】図７は、無線通信環境における不連続送信（ＤＴＸ）を検出することを容易にする方法の実例である。
【図８】図８は、無線通信システムにおいて基地局へＤＴＸインジケータを送るアクセス端末の実例である。
【図９】図９は、無線通信環境においてＤＴＸアップリンク送信を検出するシステムの実例である。
【図１０】図１０は、本明細書に記載されたさまざまなシステムおよび方法と共に適用されうる無線ネットワーク環境の実例である。
【図１１】図１１は、無線通信環境における基地局へチャネル品質インジケータ（ＣＱＩ）情報とともに不連続送信（ＤＴＸ）をシグナルすることを可能にするシステムの実例である。
【図１２】図１２は、無線通信環境においてアクセス端末によってシグナルされた不連続送信（ＤＴＸ）を検出することを可能にするシステムの実例である。
【発明を実施するための形態】
【００２３】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２４】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２５】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２６】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さをしている。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２７】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００２８】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２９】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００３０】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３１】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００３２】
システム１００は、アクセス端末１１６、１２２が、チャネル品質インジケータ（ＣＱＩ）情報およびアクノレッジ・キャラクタ（ＡＣＫ）／否定的アクノレッジ・キャラクタ（ＮＡＫ）情報を用いて、アップリンク制御チャネル（例えば、物理アップリンク制御チャネル（ＰＵＣＣＨ））によって、ダウンリンク制御チャネル誤検出（例えば、物理ダウンリンク制御チャネル（ＰＤＣＣＨ）の誤検出）をシグナルできるようにする高度な符号化スキームを適用することを可能にする。対照的に、ＣＱＩ情報およびＡＣＫ／ＮＡＫ情報が同じＰＵＣＣＨサブフレームで多重化された場合、（例えば、ＰＵＣＣＨのための）従来の符号化スキームでは一般に、アクセス端末１１６、１２２は、ダウンリンク制御チャネル（例えば、ＰＤＣＣＨ）誤検出をシグナルできない。したがって、そのような従来のスキームでは、基地局１０２は、アクセス端末（例えば、アクセス端末１１６、１２２）が正しくＰＤＣＣＨを復号したか否かを検出することができない可能性がある。
【００３３】
システム１００は、アップリンク制御チャネル（例えばＰＵＣＣＨ）における不連続送信（ＤＴＸ）シグナリングをサポートしうる。ＤＴＸシグナリングは、（例えばＰＤＣＣＨのような）ダウンリンク制御チャネル復号誤りと、（例えば物理ダウンリンク共有チャネル（ＰＤＳＣＨ）のような）ダウンリンク・データ・チャネル復号誤りとを区別する能力を提供しうる。ＤＴＸ情報は、共通のアップリンク制御チャネル（例えばＰＵＣＣＨ）サブフレーム内のＣＱＩ情報および／またはＡＣＫ／ＮＡＫ情報を用いて多重化されうる。対照的に、通常のサイクリック・プレフィクス長さについて、ＣＱＩおよびＡＣＫ／ＮＡＫ多重化のための従来のフレームワークは、ＤＴＸシグナリングをサポートすることができない。
【００３４】
（例えば、ＰＵＣＣＨのような）アップリンク制御チャネルにおけるＤＴＸシグナリングによって、基地局１０２は、（例えば、ＰＤＣＣＨのような）ダウンリンク制御チャネルが（例えば、アクセス端末１１６やアクセス端末１２２のような）特定のアクセス端末によって復号されない状態を検出できるようになる。基地局１０２は、ＤＴＸシグナリングに基づいて、（例えば、アクノレッジメント（ＡＣＫ）チャネルに関し）アクセス端末がＤＴＸモードで動作しているか、あるいは、非ＤＴＸモードで動作しているかを検出しうる。
【００３５】
ＤＴＸ検出により、基地局１０２は、ハイブリッド自動反復要求（ＨＡＲＱ）技術の一部として再送信されるべき冗長バージョン（ＲＶ）を選択しうる。例えば、（例えば、受信したＤＴＸインジケータに基づいて）（例えば、アクセス端末１１６、アクセス端末１２２のような）所与のアクセス端末がＤＴＸモードで動作しているとの判定がなされると、基地局１０２は、（例えば、ＰＤＣＣＨのような）ダウンリンク制御チャネルが所与のアクセス端末によって復号されていないことを認識しうる。この例によれば、ダウンリンク制御チャネルは復号されていないと判定されたので、基地局１０２はさらに、所与のアクセス端末は、復調されたダウンリンク・データ・チャネル（例えば、ＰＤＳＣＨ）情報を、関連するＨＡＲＱバッファ内に格納しておらず、ＨＡＲＱ技術の一部として、再送信のためにＲＶ＝０が選択されうることを認識しうる。さらなる例によれば、（例えば、アクセス端末１１６、アクセス端末１２２のような）あるアクセス端末からＮＡＫが受信され、このアクセス端末が非ＤＴＸモードで動作していることが認識されると、基地局１０２は、（例えば、ＰＤＣＣＨのような）ダウンリンク制御チャネルが、あるアクセス端末によって復号され、（例えば、ＰＤＳＣＨのような）ダウンリンク・データ・チャネルが、あるアクセス端末によって復号されることに失敗したと認識しうる。この例によれば、基地局１０２は、ある端末が、関連付けられたＨＡＲＱバッファに格納されたＲＶ＝０のバージョンを受信したと判定し、これに基づいて、基地局１０２は、ＨＡＲＱ技術の一部として、あるアクセス端末への再送信のために、（例えばＲＶ＝１のように）ＲＶ＝０以外の冗長バージョンを選択しうる。
【００３６】
さらに、ＤＴＸ検出は、アクセス端末１１６、１２２のおのおののための（例えば、ＰＤＣＣＨのような）ダウンリンク制御チャネル復号誤り率を推定するために、基地局１０２によって利用されうる。推定された復号誤り率に基づいて、基地局１０２は、各アクセス端末１１６、１２２の（例えば、ＰＤＣＣＨのような）ダウンリンク制御チャネル送信のためのリソース（例えば、制御チャネル要素（ＣＣＥ）の数、基地局１０２によって適用される送信電力）の割当を個別に最適化しうる。さらなる例によれば、基地局１０２は、アクセス端末の集合のためのリソース割当を最適にするために、推定された復号誤り率を利用しうる。
【００３７】
図２に示すように、無線通信環境においてＤＴＸシグナリングを適用するシステム２００が例示される。システム２００は、情報、信号、データ、命令、コマンド、ビット、シンボル等を送信および／または受信しうるアクセス端末２０２を含む。アクセス端末２０２は、順方向リンクおよび／または逆方向リンクを介して基地局２０４と通信しうる。基地局２０４は、情報、信号、データ、命令、コマンド、ビット、シンボル等を送信および／または受信しうる。さらに、図示していないが、アクセス端末２０２に類似の任意の数のアクセス端末が、システム２００に含まれるか、および／または、基地局２０４に類似の任意の数の基地局が、システム２００に含まれうることが考慮される。例示によれば、システム２００は、ロング・ターム・イボリューション（ＬＴＥ）ベースのシステムであり得る。しかしながら、権利主張された主題は、それには限定されない。
【００３８】
アクセス端末２０２は、ダウンリンク・チャネルによって取得された情報、信号、データ、命令群、コマンド、ビット、シンボル等を復号するダウンリンク・チャネル・デコーダ２０６を含みうる。例えば、ダウンリンク・チャネル・デコーダ２０６は、ダウンリンク制御チャネル（例えば、ＰＤＣＣＨ）、ダウンリンク・データ・チャネル（例えば、ＰＤＳＣＨ）等を復号しうる。例示によれば、ダウンリンク・デコーダ２０６は、アクセス端末２０２によって利用されるべきアップリンク・チャネル・リソース（例えば、アップリンク・チャネルによって送信するための時間および周波数、ＰＵＣＣＨリソース）をスケジューリングし、ＰＤＣＣＨによって伝送された割当を復号しうる。しかしながら、権利主張された主題は、それには限定されない。別の例によれば、ダウンリンク・チャネル・デコーダ２０６は、ＰＤＳＣＨによって取得したデータに対して、復号、復調等を行いうる。
【００３９】
アクセス端末２０２はさらに、チャネル品質に関連する情報を提供するＣＱＩレポートを生成するＣＱＩレポート生成器２０８を含みうる。ＣＱＩレポート生成器２０８は、実質的に任意の周期でＣＱＩレポートを生成しうる。あるいは、ＣＱＩレポート生成器２０８は、ＣＱＩレポートを不定期に生成しうる。
【００４０】
さらに、アクセス端末２０２は、送信のために信号を符号化するエンコーダ２１０を含みうる。例えば、エンコーダ２１０は、さまざまな信号を多重化することができ、多重化された信号は、その後、アクセス端末２０２によって（例えば、送信機（図示せず）およびアンテナ（図示せず）を経由して）基地局２０４へ送信されうる。例えば、多重化された信号は、（例えば、ＰＵＣＣＨのような）アップリンク制御チャネルによって基地局２０４へ送信されうる。しかしながら、権利主張される主題は、それに限定されない。
【００４１】
エンコーダ２１０はさらに、ＣＱＩシグナラ２１２、ＡＣＫ／ＮＡＫシグナラ２１４、およびＤＴＸシグナラ２１６を含みうる。ＣＱＩシグナラ２１２は、ＣＱＩレポート生成器２０８からＣＱＩレポートを取得し、そのようなＣＱＩレポートを、アップリンクで送信される符号化された信号に組み込む。さらに、ＡＣＫ／ＮＡＫシグナラ２１４は、ダウンリンク・チャネル・デコーダ２０６が、（例えば、ＰＤＳＣＨのような）ダウンリンク・データ・チャネルによって送信された情報を正しく復調した場合、符号化された信号へＡＣＫインジケータを挿入する。あるいは、ダウンリンク・チャネル・デコーダ２０６が、（例えば、ＰＤＳＣＨのような）ダウンリンク・データ・チャネルによって送信された情報を正しく復調しなかった場合、符号化された信号へＮＡＫインジケータを挿入する。さらに、ダウンリンク・チャネル・デコーダ２０６が、（例えばＰＤＣＣＨのような）ダウンリンク制御チャネルによって送信された割当を正しく復号しなかった場合、ＤＴＸシグナラ２１６は、符号化された信号にＤＴＸインジケータを組み込みうる。したがって、ＤＴＸシグナラ２１６は、（例えばＰＵＣＣＨによって）アップリンクで送信された符号化された信号へＤＴＸインジケータを含めることによって、基地局２０４に対して、（例えば、アクノレッジメント（ＡＣＫ）チャネルに関連して）アクセス端末２０２がＤＴＸモードで動作していることを通知しうる。ＣＱＩシグナラ２１２、ＡＣＫ／ＮＡＫシグナラ２１４、およびＤＴＸシグナラ２１６を導入することによって、エンコーダ２１０は、ＣＱＩ情報、ＡＣＫ／ＮＡＫ情報、および／または、ＤＴＸ情報を、共通のアップリンク制御チャネル（例えば、ＰＵＣＣＨ）サブフレームへと多重化しうる。
【００４２】
基地局２０４はさらに、スケジューラ２１８およびアップリンク・チャネル・デコーダ２２０を含みうる。スケジューラ２１８は、アクセス端末２０２による使用のためのリソース（例えば、アップリンク・リソース、ダウンリンク・リソース）を割り当てうる。例えば、スケジューラ２１８は、アップリンク・リソースをアクセス端末２０２へと割り当て、アップリンク・リソースの割当を示すためにアクセス端末２０２へと転送されうる割当を生成しうる。さらなる例示によれば、スケジューラ２１８によって生成された割当は、（例えば、ＰＤＣＣＨのような）ダウンリンク制御チャネルによってアクセス端末２０２へ転送されうる。しかしながら、権利主張された主題は、それには限定されない。
【００４３】
さらに、アップリンク・チャネル・デコーダ２２０は、アップリンクによって基地局２０４によって受信された信号を復号しうる。例えば、アップリンク・チャネル・デコーダ２２０は、アップリンク（例えば、共通のサブフレームにおいて受信された複数のシンボル）によって取得された複数の信号を逆多重化しうる。さらなる例によれば、アップリンク・チャネル・デコーダ２２０は、（例えば、ＰＵＣＣＨのような）アップリンク制御チャネルで受信された信号を復調しうる。
【００４４】
アップリンク・チャネル・デコーダ２２０はさらに、ＣＱＩ検出器２２２、ＡＣＫ／ＮＡＫ評価部２２４、および、ＤＴＸアイデンティファイヤ２２６を含みうる。ＣＱＩ検出器２２２は、アップリンク送信の一部としてアクセス端末２０２から受信したＣＱＩ情報を認識しうる。さらに、ＡＣＫ／ＮＡＫ評価部２２４は、アップリンク送信に含まれているのがＡＣＫインジケータであるかＮＡＫインジケータであるかを識別しうる。（例えば、ＰＤＳＣＨのような）ダウンリンク・データを介して基地局２０４によって送信されたダウリンク送信が（例えば、ダウンリンク・チャネル・デコーダ２０６によって）アクセス端末２０２によって正しく復号されたかに応じて、アクセス端末２０２によって、ＡＣＫインジケータまたはＮＡＫインジケータが送信されうる。さらに、ＤＴＸアイデンティファイヤ２２６は、アップリンク送信が、アクセス端末２０２によって送られたＤＴＸ送信であるか否かを区別するＤＴＸインジケータをアップリンク送信が含んでいるときを認識しうる。したがって、ＤＴＸアイデンティファイヤ２２６は、アクセス端末２０２がＤＴＸモードで動作しているときを検出しうる。
【００４５】
例示によれば、ＤＴＸシグナリングは通常、アクセス端末が従来通りＰＵＣＣＨフォーマット０または１を送信した場合に生じうる。この例によれば、アクセス端末がＰＤＣＣＨを見失った場合、ＰＵＣＣＨ  ＤＴＸが生じうる。さらに、（例えば、基地局が３状態受信機を適用する場合）これは、基地局によって検出可能でありうる。しかしながら、先の例は、ＣＱＩ情報がＡＣＫインジケータまたはＮＡＫインジケータを用いて多重化される場合を考慮できない。
【００４６】
ＡＣＫインジケータあるいはＮＡＫインジケータがＰＵＣＣＨにおいてＣＱＩ情報と多重化された場合、ＣＱＩ情報は、ＰＤＣＣＨ復号の結果に関わらず送信されるだろうから、前述したＤＴＸシグナリングは通常は生じない。さらに、従来のスキームは、一般に、ＣＱＩ情報のみ（例えば、ＡＣＫ／ＮＡＫとの多重化のないスタンドアロンのＣＱＩ情報）の場合と同じ送信波形として、ＣＱＩ情報およびＮＡＫインジケータを符号化する。したがって、これら従来のスキームでは、基地局は、アクセス端末のＤＴＸ動作を検出できない場合がある。
【００４７】
一般に使用されるスキームは、ＡＣＫ情報またはＮＡＫ情報を用いてＰＵＣＣＨ基準信号（ＲＳ）シンボルを変調しうる。例えば、おのおののスロットでは、通常のサイクリック・プレフィクス長さによるＰＵＣＣＨ復号のためのフェーズ基準を提供するために、２つの基準信号シンボルが送信されうる。（例えば、ＡＣＫもＮＡＫも無く、アクセス端末がＤＴＸモードにある場合に生じうる）ＣＱＩのみの送信の場合、スロット内の２つの基準信号シンボルはともに‘１’に設定されうる。さらに、ＣＱＩおよびＡＣＫあるいはＮＡＫによる送信の場合、スロット内の２つの基準信号シンボルのうちの最初が‘１’に設定される一方、スロット内の２番目の基準信号シンボルは‘１’または‘−１’に設定され、単一入力複数出力（ＳＩＭＯ）ケースにおいてＡＣＫまたはＮＡＫがシグナルされる。あるいは、４つの直交フェーズ・シフト・キーイング（ＱＰＳＫ）シンボルのうちの１つに設定され、２つの複数入力複数出力（ＭＩＭＯ）ストリームについてＮＡＫ／ＮＡＫ、ＡＣＫ／ＮＡＫ、ＮＡＫ／ＡＣＫ、あるいはＡＣＫ／ＡＣＫがシグナルされる。例えば、ＭＩＭＯの場合に利用されるマッピングは以下の通りでありうる。ＮＡＫ／ＮＡＫは‘１’にマップし、ＡＣＫ／ＮＡＫは‘ｊ’にマップし、ＮＡＫ／ＡＣＫは‘−ｊ’にマップし、ＡＣＫ／ＡＣＫは‘−１’にマップしうる。しかしながら、コンステレーション・ポイントのその他のマッピングおよび／またはその他の選択もまた利用されうることが認識されるべきである。さらに、例えば、送信されたシンボルは、従来のＱＰＳＫコンステレーションにマッチさせるために、４５度回転されうる。しかしながら、権利主張された主題は、それには限定されない。
【００４８】
システム２００は、アクセス端末２０２による可能なＤＴＸシグナリングと、基地局２０４によるＤＴＸ検出を可能にするために、前述したものを修正する。ＰＵＣＣＨが、通常のサイクリック・プレフィクス長さについて、ＡＣＫ情報またはＮＡＫ情報とともに多重化されたＣＱＩを同じサブフレームで搬送する場合、アクセス端末２０２は、アップリンクＰＵＣＣＨで見失われたＰＤＣＣＨ状態をシグナルしうる。ダウンリンクＳＩＭＯ動作および／またはダウンリンクＭＩＭＯ動作のために、アクセス端末２０２によって、さまざまなシグナリング・オプションが適用されうる。
【００４９】
さらなる例によれば、アクセス端末２０２がアップリンクによって送信を行うように基地局２０４が（例えば、スケジューラ２１８を用いて）スケジュールしておらず、（例えば、ＰＵＣＣＨサブフレームのような）アップリンク送信が未だに受信されていない場合、アップリンク・チャネル・デコーダ２２０は、アクセス端末２０２がＤＴＸ状態にあるものと仮定して、ＰＵＣＣＨ復号を調整しうる。したがって、アップリンク・チャネル・デコーダ２２０（例えば、ＤＴＸアイデンティファイヤ２２６）は、ＤＴＸがアクセス端末２０２によってシグナルされたと仮定して、取得したＰＵＣＣＨサブフレームを復号しうる。したがって、この場合、復号パフォーマンスは、実質的には従来のスキームにおけるパフォーマンスと同じであり、もって、ＤＴＸシグナリングを追加することは、ＣＱＩのみのフォーマットのパフォーマンスにおける顕著な負のインパクトを取り除く。
【００５０】
図３を参照して、無線通信環境において、ＤＴＸをシグナルするために基準信号を利用するシステム３００が例示される。システム３００は、エンコーダ２１４を含むアクセス端末２０２と、アップリンク・チャネル・デコーダ２２０を含む基地局２０４とを備える。エンコーダ２１０は、基地局２０４への送信のために、（例えば、図２のＣＱＩレポート生成器２０８によって生成された）ＣＱＩ情報を符号化するＣＱＩシグナラ２１２を含みうる。
【００５１】
エンコーダ２１０はさらに、例えばＡＣＫ／ＮＡＫシグナラ２１４およびＤＴＸシグナラ２１６を含む基準信号生成器３０２を含みうる。この例によれば、基準信号生成器３０２は、（例えば、ＰＵＣＣＨのような）アップリンク制御チャネルによって送信されうる基準信号シンボルを用いて、ＡＣＫインジケータ、ＮＡＫインジケータ、および／またはＤＴＸインジケータを符号化するために、ＡＣＫ／ＮＡＫシグナラ２１４およびＤＴＸシグナラ２１６を導入しうる。したがって、図示する例によれば、スロット内の（例えば、基準信号のような）２つのシンボルが符号化され、基地局２０４に対してＡＣＫ、ＮＡＫ、またはＤＴＸがシグナルされる一方、スロット内の（例えば、５つの残りのシンボルのような）残りのシンボルは、ＣＱＩ情報を用いてＣＱＩシグナラ２１２によって符号化されうる。
【００５２】
アップリンク・チャネル・デコーダ２２０は、ＣＱＩ検出器２２２および基準信号分析部３０４を含みうる。基準信号分析部３０４はさらに、ＡＣＫ／ＮＡＫ評価部２２４およびＤＴＸアイデンティファイヤ２２６を含み、（例えば、基準信号生成器３０２のような）アクセス端末３０２がＡＣＫ、ＮＡＫ、またはＤＴＸをシグナルしたかを検出するために、受信した基準信号シンボルを評価しうる。したがって、例示されるように、スロット内の（例えば２つのシンボルのような）基準信号シンボルは、ＡＣＫインジケータ、ＮＡＫインジケータ、あるいはＤＴＸインジケータを検出するために、（例えば、ＡＣＫ／ＮＡＫ評価部２２４およびＤＴＸアイデンティファイヤ２２６を導入している）基準信号分析部３０４によって復号されうる一方、スロット内の残りのシンボルは、アクセス端末２０２によって提供されるＣＱＩフィードバックを決定するために、ＣＱＩ検出器２２２によって評価されうる。
【００５３】
例示によれば、システム３００は、ダウンリンクＳＩＭＯに適用されうる。基準信号生成器３０２は、第１の基準信号シンボルを‘１’（あるいはその他任意のプリセット値）に設定しうる。さらに、基準信号生成器３０２は（例えば、ＡＣＫ、ＮＡＫ、あるいはＤＴＸが、ＡＣＫ／ＮＡＫシグナラ２１４およびＤＴＸシグナラ２１６によって提供されることになっているかに基づいて）、第２の基準信号シンボルを、（例えば、４要素ＱＰＳＫコンステレーションのうちの３要素サブセットのような）３つの可能なＱＰＳＫシンボルのうちの１つに設定しうる。例によれば、基準信号生成器３０２は、第２の基準信号のために以下のマッピングを適用しうる。ＮＡＫが‘１’にマップされ、ＡＣＫが‘−１’にマップされ、ＤＴＸが‘ｊ’にマップされうる。別の例によれば、ＤＴＸインジケータが送信されない場合、ＤＴＸは、第２の基準信号について‘１’にマップされうる。しかしながら、どのようなマッピングも、特許請求の範囲のスコープ内にあると意図されていることが考慮される。さらに、例えば、そのような符号化スキームが導入される場合、アップリンク・チャネル・デコーダ２２０は、ＳＩＭＯ動作に関して３つの可能な仮説を評価しうる。
【００５４】
基準信号分析部３０４が、変調された基準信号シンボルに基づいてＡＣＫ、ＮＡＫ、およびＤＴＸを独立して復号する場合、上述したマッピングは、ＱＰＳコンステレーションに関して、ＮＡＫがＡＣＫだと誤認識される（あるいは、ＡＣＫがＮＡＫだと誤認識される）場合における復号誤りを最小化しうる。その他のマッピングは、それに代えて、例えば３−ＰＳＫコンステレーション・ポイント、従来のＱＰＳＫコンステレーション・ポイント（例えば、上述したコンステレーションから４５度回転した［（１、ｊ）、（−１、ｊ）、（１、−ｊ）、（−１、−ｊ）］／ｓｑｒｔ（２）｝）等のようなＤＴＸシグナリングに関連して適用されうる。
【００５５】
さらに、前述の説明は、（例えば、パイロットのように）ＡＣＫ／ＮＡＫ変調された基準信号シンボルを用いたＤＴＸのモデリングの例を示す。別の例によれば、ＱＰＳＫ変調は、第１の基準信号シンボルを‘１’（あるいはその他任意の予め定めた値）に設定することでもなく、ＡＣＫ、ＮＡＫ、あるいはＤＴＸを符号化するために第２の基準信号シンボルを変調することでもなく、スロット内で、アップリンクによって転送される両方の基準信号シンボル（例えば、両方のパイロット）のために使用されうる。例えば、第１の基準信号シンボルが、‘１’、‘−１’、‘ｊ’、‘−ｊ’のうちの１つに設定され、第２の基準信号シンボルが、‘１’、‘−１’、‘ｊ’、‘−ｊ’のうちの１つに設定され、これによって、１６の異なる組み合わせが得られる。ＤＴＸおよびＡＣＫ／ＮＡＫシグナリングの場合、ＡＣＫ、ＮＡＫ、およびＤＴＸの間の距離を最大にするために、これら１６の可能な組み合わせのうちの３つが選択されうる。これによって、基準信号分析部３０４による検知能力におけるチャネル・フェーズ変動のインパクトを最小にする。
【００５６】
例えば、ＡＣＫおよび／またはＮＡＫを示すために２ビットが利用されるダウンリンクＭＩＭＯの場合、システム３００に関してＤＴＸシグナリングが省略されうる。ＤＴＸシグナリングを省略することは、ＤＴＸモードで動作している場合に、第１の基準信号シンボルで‘１’を、および、第２の基準信号シンボルで‘１’を送信することに実質的に類似しうる（例えば、これは、２つのＭＩＭＯストリームについてＮＡＫ／ＮＡＫを示すことに実質的に類似しうる）。この例によれば、ＭＩＭＯモードの場合、アクセス端末２０２は、平均してより高いジオミトリにおいて動作しうる。したがって、ＳＩＭＯを適用することに比べて、平均してより小さいダウンリンク電力オーバヘッドにより、ＰＤＣＣＨ復号誤り率が低減されうる。したがって、ＤＴＸシグナリングが無いと、インパクトはより小さくなる。しかしながら、権利主張される主題は、前述の例に限定されないことが認識されるべきである。
【００５７】
図４に移って、無線通信環境において、ＣＱＩ情報とともにＤＴＸ情報を符号化するシステム４００が例示される。システム４００は、アクセス端末２０２および基地局２０４を含んでいる。アクセス端末２０２は、エンコーダ２１０を含む。それはさらにＣＱＩシグナラ２１２および基準信号生成器３０２を含んでいる。ＣＱＩシグナラ２１２はさらにＤＴＸシグナラ２１６を含みうる。また、基準信号生成器３０２はさらにＡＣＫ／ＮＡＫシグナラ２１４を含みうる。さらに、基地局２０４は、アップリンク・チャネル・デコーダ２２０を含みうる。アップリンク・チャネル・デコーダ２２０は、ＤＴＸアイデンティファイヤ２６を備えるＣＱＩ検出器２２２と、ＡＣＫ／ＮＡＫ評価部２２４を含みうる基準信号分析部３０４とを含んでいる。
【００５８】
一例として、ＣＱＩ情報およびＤＴＸ情報は、ＣＱＩシグナラ２１２およびＤＴＸシグナラ２１６によってともに符号化されうる。例えば、ＤＴＸシグナラ２１６は、ＣＱＩシグナラ２１２によって提供されるＣＱＩ情報ビットに加えて、送信状態ビットを加えうる。追加の送信状態ビットの値は、アクセス端末２０２がＤＴＸ状態にあるかを示しうる。さらに、ＣＱＩ情報ビットおよび送信状態ビットは、ともに符号化されうる。例えば、リード・ミュラー（ＲＭ）符号化（例えば、ＲＭあるいはコンピュータによって生成された拡張機能を備えたＲＭ）が適用され、追加の送信状態ビットが、特定のＲＭ（あるいは、コンピュータによって生成された）ベースのベクトルを線型的に追加するか、追加しないかをトグルしうる。
【００５９】
さらに、ＣＱＩ検出器２２２およびＤＴＸアイデンティファイヤ２２６は、アクセス端末２０２から受信した、符号化および結合された情報の評価、復号、復調等を行い、ＣＱＩ情報およびそれに含まれるＤＴＸ情報を抽出しうる。例えば、ＤＴＸアイデンティファイヤ２２６は、アクセス端末２０２がＤＴＸ状態で動作しているか否かを認識するために、（例えば、ＰＤＣＣＨがアクセス端末２０２によって正しく復号されたかを認識するために、）追加の送信状態ビットの値を決定しうる。
【００６０】
さらに、基準信号生成器３０２によって生成された基準信号シンボルは、例えば、ＡＣＫまたはＮＡＫをシグナルするために、ＡＣＫ／ＮＡＫシグナラ２１４によって設定されうる。したがって、基準信号分析部３０４（例えば、および／またはＡＣＫ／ＮＡＫ評価部２２４）は、アクセス端末２０２によって送信されたＡＣＫまたはＮＡＫを識別するために、受信された基準信号シンボルを評価しうる。
【００６１】
システム４００は、ダウンリンクＳＩＭＯ動作および／またはダウンリンクＭＩＭＯ動作に関連して適用されうることが認識されるべきである。基地局２０４が、受信された特定のＰＵＣＣＨサブフレームに対応するアクセス端末２０２のためのダウンリンク送信をスケジュールする場合、アップリンク・チャネル・デコーダ２２０は、一般に、ダウンリンクＳＩＭＯ動作の場合には３つの可能な仮説を、ダウンリンクＭＩＭＯ動作の場合には５つの可能な仮説を評価しうる。さらに、基地局２０４は、ＣＱＩおよびＡＣＫ／ＮＡＫをともに復号するために、最大尤度推定法（ＭＬ）受信機を利用しうるので、結合された仮説の正しいセットを選択することによって、仮説が選択されうる。一例として、ＳＩＭＯシナリオの下では、ＣＱＩとともに符号化されたＤＴＸと、基準信号シンボルとともに符号化されたＡＣＫとの組み合わせは、ＭＬ仮説のセットから除外されうる。同様に、ＭＩＭＯの場合、ＣＱＩとともに符号化されたＤＴＸと、基準信号シンボルとともに符号化されたＮＡＫ／ＮＡＫ以外のその他との任意の組み合わせが、ＭＬ仮説のセットから除外されうる。上記検討に基づいて、ＰＵＣＣＨ復号パフォーマンスにおけるＤＴＸシグナリングのインパクトは全体的に適度なものとなりうる。
【００６２】
図５を参照して、無線通信環境において、ＤＴＸシグナリングに関連して適用されうるＰＵＣＣＨサブフレーム５００の例が例示される。ＰＵＣＣＨサブフレーム５００は、２つの連続するスロット、すなわち、スロット５０２およびスロット５０４を含みうる（例えば、スロット５０２とスロット５０４とは共に０．５ｍｓでありうる）。さらに、図示するように、スロット５０２−５０４はおのおのの、（例えば、通常のサイクリック・プレフィクス長さを持つ）７つのシンボルを含みうる。所与のスロット内では、２つのシンボルが、基準信号シンボルとなり、５つのシンボルがＣＱＩシンボルとなり得る。したがって、スロット５０２では、シンボル１、５が基準信号シンボルになり、シンボル０、２、３、４および６がＣＱＩシンボルになりえる。同様に、スロット５０４では、シンボル８、１２が基準信号シンボルになり、シンボル７、９、１０、１１および１３がＣＱＩシンボルになりえる。一例によれば、上記するように、ＤＴＸは、基準信号シンボルは、基準信号シンボルの選択に基づいて（例えば、ＡＣＫ／ＮＡＫ情報とともに）シグナルされうる。本明細書に記載された別の例によれば、ＤＴＸは、ＣＱＩシンボル内で符号化されうる追加の送信状態ビットに基づいてシグナルされうる。しかしながら、権利主張された主題は、前述したものに限定されないと認識されるべきである。
【００６３】
図６および図７に示すように、無線通信環境においてＤＴＸをシグナリングおよび検出することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００６４】
図６を参照して、無線通信環境において基地局へ不連続送信（ＤＴＸ）をシグナルすることを容易にする方法６００が例示される。６０２において、ダウンリンク制御チャネルが正しく復号されたかに関する判定が有効とされうる。ダウンリンク制御チャネルは、例えば、物理ダウンリンク制御チャネル（ＰＤＣＣＨ）でありうる。さらに、ダウンリンク制御チャネルは、（例えば、対応するアップリンク制御チャネルによる送信のような）アップリンク送信と関連して利用するために、（例えば、時間および周波数のような）リソースの割当を提供しうる。したがって、６０２で実行される判定は、ダウンリンク制御チャネルによって送信された割当が受信され、正しく復号されたかを認識するためでありうる。
【００６５】
６０２において、ダウンリンク制御チャネルが、正しく復号されていないと判定された場合（例えば、割当が受信および／または復号もされていない場合）、方法６００は６０４へ進む。６０４では、チャネル品質インジケータ（ＣＱＩ）情報およびＤＴＸインジケータが、ダウンリンク制御チャネルに対応するアップリンク制御チャネル・サブフレーム内で符号化されうる。アップリンク制御チャネル・サブフレームは、物理アップリンク制御チャネル（ＰＵＣＣＨ）サブフレームでありうる。一例によれば、スロット内のシンボルの第１のセット（例えば、基準信号シンボル、２つのシンボル）は、ＤＴＸインジケータを含むように符号化され、スロット内のシンボルの第２のセット（例えば、非基準信号シンボル、５つのシンボル、残りのシンボル）は、ＣＱＩ情報を含むように符号化されうる。ここで、第１のセットにおけるシンボルは、第２のセットにおけるシンボルから相互に排他的でありうる。さらなる例によれば、ＤＴＸインジケータに対応する値に設定されたビットが、ＣＱＩ情報を表すビットに加えられうる。そして、ＤＴＸインジケータとＣＱＩ情報の組み合わせをともに含むように、シンボルの共通のセットが符号化されうる。６０６では、符号化されたアップリンク制御チャネル・サブフレームが基地局へ送信されうる。したがって、ＤＴＸが基地局へシグナルされうる。
【００６６】
６０２において、（例えば、割当が受信され復号され）ダウンリンク制御チャネルが正しく復号されたと判定された場合、方法６００は、６０８に進む。６０８では、ＣＱＩ情報と、アクノレッジ・キャラクタ（ＡＣＫ）インジケータおよび否定的なアクノレッジ・キャラクタ（ＮＡＫ）インジケータのうちの１つとが、ダウンリンク制御チャネルに対応するアップリンク制御チャネル・サブフレーム内で符号化されうる。例えば、スロット内のシンボルの第１のセット（例えば、スロット内の基準信号シンボル、２つのシンボル）が、ＡＣＫインジケータあるいはＮＡＫインジケータを含むように符号化され、スロット内のシンボルの第２のセット（例えば、非基準信号シンボル、５つのシンボル、残りのシンボル）が、ＣＱＩ情報を含むように符号化されうる。ここで、第１のセットにおけるシンボルは、第２のセットにおけるシンボルから相互に排他的でありうる。さらなる例によれば、非ＤＴＸ動作に対応する値に設定されたビットが、ＣＱＩ情報を表すビットに加えられ、シンボルのビットが、これらビットの組み合わせを含むようにともに符号化されうる。６１０では、符号化されたアップリンク制御チャネル・サブフレームが、基地局へ送信されうる。
【００６７】
符号化スキームの例によれば、スロット内のシンボルの第１のセット（例えば、基準信号シンボル、２つのシンボル）は、ダウンリンク制御チャネルが正しく復号されなかった場合に、ＤＴＸインジケータを含むように符号化され、ダウンリンク制御チャネルが正しく復号された（と６０２において判定された）場合、ＡＣＫインジケータまたはＮＡＫインジケータのうちの１つを含むように符号化されうる。第１のセットにおけるシンボルは、例えば、ＤＴＸインジケータを組み込む場合、第１のマッピングを適用し、ＡＣＫインジケータを組み込む場合、第２のマッピングを適用し、ＮＡＫインジケータを組み込む場合、第３のマッピングを適用しうる。例として、第１のセットにおける第１のシンボル（例えば、第１の基準信号シンボル）は、‘１’に設定され、第１のセットにおける第２のシンボル（例えば、第２の基準信号シンボル）は、複数の可能な値のうちの１つに設定されうる（例えば、ＤＴＸの場合‘ｊ’に、ＡＣＫの場合‘−１’に、ＮＡＫの場合‘１’に設定されたり、ＤＴＸの場合‘１’に、ＡＣＫの場合‘−１’に、ＮＡＫの場合‘１’に設定される）。しかしながら、任意のマッピングが特許請求の範囲のスコープに入ることが意図されているので、権利主張される主題は、前述した例示に限定されないことが認識されるべきである。さらに、この符号化スキームの一部の例として、スロット内のシンボルの第２のセット（例えば、非基準信号シンボル、５つのシンボル、残りのシンボル）が、ＣＱＩ情報を含むように符号化されうる。ここで、第１のセットにおけるシンボルは、第２のセットにおけるシンボルから相互に排他的でありうる。さらに、この符号化スキームの例は、ダウンリンク単一入力複数出力（ＳＩＭＯ）動作に関連して利用されうる。別の例によれば、ダウンリンク複数入力複数出力（ＭＩＭＯ）動作に関連するＤＴＸモードである場合、第１のセット内の第１のシンボル（例えば、第１の基準信号シンボル）が、‘１’に設定され、第１のセット内の第２のシンボル（例えば、第２基準信号シンボル）が、‘１’に設定されうる。
【００６８】
別の符号化スキームの例によれば、送信状態ビットが、ＣＱＩ情報ビットに加えられうる。送信状態ビットの値は、ＤＴＸモードあるいは非ＤＴＸモードが適用されているか（例えば、ダウンリンク制御チャネルが、アップリンク制御チャネル・リソースの対応する割当を生成するように正しく復号されたか否か）に応じて設定されうる。さらに、送信状態ビットは、ＤＴＸ動作または非ＤＴＸ動作に基づいて、特定のリード・ミュラー（ＲＭ）ベースのベクトルを線型的に追加するか、追加しないかをトグルしうる。この符号化スキームの例は例えば、ダウンリンクＳＩＭＯ動作および／またはダウンリンク複数入力複数出力（ＭＩＭＯ）動作に関連して適用されうる。
【００６９】
図７に移って、無線通信環境において不連続送信（ＤＴＸ）を検出することを容易にする方法７００が例示される。７０２では、アップリンク制御チャネル・サブフレームが、アクセス端末から受信されうる。アップリンク制御チャネル・サブフレームは、物理アップリンク制御チャネル（ＰＵＣＣＨ）サブフレームでありうる。例示によれば、アップリンク制御チャネル・サブフレームは、ダウンリンク送信によってアクセス端末へ送られた割当に対応できない場合がある。したがって、アクセス端末のためにＤＴＸ状態が仮定されうる。さらなる例によれば、アップリンク制御チャネル・サブフレームは、ダウンリンク送信によってアクセス端末へ転送された割当に対応しうるので、アップリンク制御チャネル・サブフレームは、ＤＴＸ動作と非ＤＴＸ動作とを識別するために、アクセス端末によって復号されうる。
【００７０】
７０４では、アップリンク制御チャネル・サブフレームが復号され、アクセス端末からのＣＱＩフィードバックが識別される。７０６では、アクセス端末によって遭遇されるダウンリンク・データ・チャネル復号誤り、ダウンリンク制御チャネル復号誤り、および正しい復号を区別する少なくとも１つのインジケータを検出するために、アップリンク制御チャネル・サブフレームが復号されうる。少なくとも１つのインジケータは、ＤＴＸインジケータ、アクノレッジ・キャラクタ（ＡＣＫ）インジケータ、あるいは否定的なアクノレッジ・キャラクタ（ＮＡＫ）インジケータのうちの１または複数でありうる。例示によれば、ＣＱＩフィードバックと、少なくとも１つのインジケータとは、ともに復号されたり、個別に復号されたり、あるいは、これらが組み合わされたり等がされうる。例によれば、少なくとも１つのインジケータは、スロット内のシンボルの第１のセット（例えば、２つの基準信号シンボル）から検出され、ＣＱＩフィードバックが、スロット内のシンボルの第２のセット（例えば、非基準信号シンボル、５つのシンボル、残りのシンボル）から識別されうる。さらなる例によれば、少なくとも１つのインジケータは、アップリンク制御チャネル・サブフレーム内のシンボルのセットによって伝送されたＣＱＩ情報ビットに追加された送信状態ビットの値に少なくとも部分的に基づいて検出されうる。
【００７１】
本明細書に記載された１または複数の態様によれば、無線通信環境において、ＤＴＸをシグナリングすること、および／または、検出することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定の文脈または動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７２】
例によれば、前述された１または複数の方法は、アクセス端末によって送信されたＣＱＩ情報およびＡＣＫ／ＮＡＫ／ＤＴＸインジケータのうち、最もありうる組み合わせを選択することに関して推論することを含みうる。さらなる例によれば、推論は、ＤＴＸシグナリングに関連して適用するマッピングの決定に関してなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００７３】
図８は、無線通信システムにおいて基地局へＤＴＸインジケータを送信するアクセス端末８００の実例である。アクセス端末８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、例えばＭＭＳＥ受信機であり、受信したシンボルを復調し、それらをチャネル推定のためにプロセッサ８０６へ送る復調器８０４を備えうる。プロセッサ８０６は、受信機８０２によって受信された情報を分析すること、および／または、送信機８１６による送信のための情報を生成することに特化されたプロセッサ、アクセス端末８００の１または複数の構成要素を制御するプロセッサ、および／または、受信機８０２によって受信された情報を分析し、送信機８１６による送信のための情報を生成し、アクセス端末８００の１または複数の構成要素を制御するプロセッサでありうる。
【００７４】
アクセス端末８００は、プロセッサ８０６に動作可能に接続されたメモリ８０８をさらに備える。このメモリは、送信されるべきデータ、受信したデータ、および、本明細書に記載されたさまざまな動作および機能を実行することに関連するその他任意の適切な情報を格納しうる。メモリ８０８は、例えば、ＣＱＩ情報をシグナリングすることに関連付けられたプロトコルおよび／またはアルゴリズムを、共通のＰＵＣＣＨサブフレーム内のＤＴＸインジケータ、ＡＣＫインジケータ、またはＮＡＫインジケータのうちの１または複数とともに格納しうる。さらに、メモリ８０８は、ＣＱＩ情報を生成するためのプロトコルおよび／またはアルゴリズムを格納しうる。
【００７５】
本明細書に記載されたデータ・ストア（例えば、メモリ８０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８０８は、限定される訳ではないが、これらおよびその他任意の適切なタイプのメモリを備えることが意図される。
【００７６】
プロセッサ８０６は、ＣＱＩシグナラ８１０および／または基準信号生成器８１２と動作可能に接続されうる。ＣＱＩシグナラ８１０は、図２のＣＱＩシグナラ２１２に実質的に類似しうる。および／または、基準信号生成器８１２は、図３の基準信号生成器３０２に実質的に類似しうる。ＣＱＩシグナラ８１０は、ＰＵＣＣＨサブフレームに含まれるＣＱＩ情報を生成しうる。例えば、ＣＱＩシグナラ８１０は、スロット内に非基準信号シンボル内のＣＱＩ情報を含みうる。さらに、基準信号生成器８１２は、同じスロットについて基準信号シンボルを生成しうる。さらに、アクセス端末８００は、ＤＴＸモードまたは非ＤＴＸモードで動作しうることが認識されるべきである。例によれば、ＤＴＸモードにある場合、基準信号生成器８１２は、生成された基準信号シンボル内に、ＤＴＸインジケータを組み込みうる。この例によれば、非ＤＴＸモードにある場合、基準信号生成器８１２は、生成された基準信号シンボル内に、ＡＣＫインジケータあるいはＮＡＫインジケータを組み込みうる。別の例によれば、ＣＱＩシグナラ８１０は、アクセス端末８００がＤＴＸモードにあるか、あるいは非ＤＴＸモードにあるかに応じて、ＣＱＩ情報ビットに追加される追加ビットの値を設定しうる。図示していないが、アクセス端末８００は、図２のＡＣＫ／ＮＡＫシグナラ２１４に実質的に類似したＡＣＫ／ＮＡＫシグナラ、および／または、図２のＤＴＸシグナラ２１６に実質的に類似したＤＴＸシグナラを含みうることが認識されるべきである。アクセス端末８００はさらに、変調器８１４と、データ、信号等を基地局へ送信する送信機８１６とを備える。プロセッサ８０６と別に示されているが、ＣＱＩシグナラ８１０、基準信号生成器８１２、および／または変調器８１４は、プロセッサ８０６あるいは多くのプロセッサ（図示せず）のうちの一部であり得ることが認識されるべきである。
【００７７】
図９は、無線通信環境においてＤＴＸアップリンク送信を検出するシステム９００の実例である。システム９００は、複数の受信アンテナ９０６によって１または複数のアクセス端末９０４から信号を受信する受信機９１０と、送信アンテナ９０８を通して１または複数のアクセス端末９０４へ送信する送信機９２４とを備える基地局９０２（例えばアクセス・ポイント）を備える。受信機９１０は、受信アンテナ９０６から情報を受信する。さらに、受信した情報を復調する復調器９１２と動作可能に関連付けられている。復調されたシンボルは、図８に関して上述したプロセッサに類似し、メモリ９１６に接続されているプロセッサ９１４によって分析される。メモリ９１６は、アクセス端末９０４へ送信されるべきデータ、あるいはアクセス端末９０４から受信したデータ、および／または、本明細書に記載されたさまざまな動作および機能を実行することに関連するその他任意の適切な情報を格納しうる。プロセッサ９１４はさらに、組み込まれたインジケータを検出するためにＰＵＣＣＨサブフレーム内の基準信号シンボルを評価する基準信号分析部９１８に接続されている。さらに、基地局９０２は、ＣＱＩ情報を識別するために、同じＰＵＣＣＨサブフレーム内の非基準信号シンボルを分析しうるＣＱＩ検出器９２０を含みうる。例えば、ＤＴＸインジケータは、基準信号分析部９１８（例えば、基準信号シンボルによって伝送されたもの）またはＣＱＩ検出器９２０（例えば、非基準信号シンボルによって伝送されたもの）によって識別されうることが考慮される。さらに、基準信号分析部９１８は、図３の基準信号分析部３０４に実質的に類似していること、および／または、ＣＱＩ検出器９２０は、図２のＣＱＩ検出器２２２に実質的に類似していることが認識されるべきである。さらに、図示していないが、基地局９０２は、図２のＡＣＫ／ＮＡＫ評価部２２４に実質的に類似したＡＣＫ／ＮＡＫ評価部、および／または、図２のＤＴＸアイデンティファイヤ２２６に実質的に類似したＤＴＸアイデンティファイヤを含みうることが考慮される。基地局９０２はさらに、変調器９２２を含みうる。変調器９２２は、前述の説明にしたがって、送信機９２４によるアンテナ９０８を介したアクセス端末９０４への送信のために、フレームを多重化しうる。プロセッサ９１４と別に示されているが、基準信号分析部９１８、ＣＱＩ検出器９２０、および／または、変調器９２２は、プロセッサ９１４または多くのプロセッサ（図示せず）の一部でありうることが認識されるべきである。
【００７８】
図１０は、無線通信システム１０００の例を示す。無線通信システム１０００は、簡潔さの目的のため、１つの基地局１０１０と１つのアクセス端末１０５０しか示していない。しかしながら、システム１０００は、１より多い基地局、および／または、１より多いアクセス端末を含みうることが認識されるべきである。ここで、追加の基地局および／またはアクセス端末は、以下に示す基地局１０１０およびアクセス端末１０５０の例と実質的に類似しうるか、あるいは、異なりうる。さらに、基地局１０１０および／またはアクセス端末１０５０は、その間の無線通信を容易にするために、本明細書に記載されたシステム（図１−４、８−９、および１１−１２）および／または方法（図６−７）を適用しうることが認識されるべきである。
【００７９】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符合化スキームに基づいて符号化し、インタリーブして、符合化されたデータを提供する。
【００８０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１０５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００８１】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００８２】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００８３】
アクセス端末１０５０では、送信された調整信号が、ＮＲ個のアンテナ１０５２ｒ乃至１０５２ａによって受信され、アンテナ１０５２のおのおのから受信された信号は、それぞれの受信機（ＲＣＶＲ）１０５４ａ乃至１０５４ｒへ提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８４】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００８５】
プロセッサ１０７０は、上述したように、利用可能などの技術を利用するのかを定期的に決定する。さらに、プロセッサ１０７０は、行列インデクス部およびランク値部を備えた逆方向リンク・メッセージを規定することができる。
【００８６】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００８７】
基地局１０１０では、アクセス端末１０５０からの変調信号が、アンテナ１０２４によって受信され、受信機１０２２によって調整され、復調器１０４０によって復調され、ＲＸデータ・プロセッサ１０４２によって処理されることにより、アクセス端末１０５０によって送信された逆方向リンク・メッセージが抽出される。さらに、プロセッサ１０３０は、ビームフォーミング重みを決定するためにどの事前符合化行列を使用するかを決定するために、この抽出されたメッセージを処理する。
【００８８】
プロセッサ１０３０およびプロセッサ１０７０は、基地局１０１０およびアクセス端末１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００８９】
態様では、論理チャネルが、制御チャネルとトラフィック・チャネルとに分類される。論理制御チャネルは、システム制御情報をブロードキャキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００９０】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００９１】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００９２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００９３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００９４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９５】
図１１に示すように、無線通信環境において、チャネル品質インジケータ（ＣＱＩ）情報を用いて基地局へ不連続送信（ＤＴＸ）をシグナルすること可能にするシステム１１００が図示される。例えば、システム１１００は、アクセス端末内に存在しうる。システム１１００は、プロセッサ、ソフトウェア、またはそれらの組み合わせ（例えば、ファームウェア）によって実現される機能を表す機能ブロックでありうる機能ブロックを含むものとして示されることが認識されるべきである。システム１１００は、連携して動作しうる電子構成要素の論理グループ１１０２を含む。例えば、論理グループ１１０２は、ダウンリンク（ＤＬ）制御チャネルおよびダウンリンク（ＤＬ）データ・チャネルが正しく復号されたか、ダウンリンク制御チャネルの復号に失敗したか、ダウンリンク・データ・チャネルの復号に失敗したかを区別する少なくとも１つのインジケータを備えたＣＱＩ情報を含むようにアップリンク制御チャネル・サブフレームを符号化するための電子構成要素１１０４を含みうる。さらに、論理グループ１１０２は、オプションとして、アップリンク制御チャネル・サブフレーム内のシンボルの共通のセットについて、ＣＱＩ情報にＤＴＸインジケータを組み込むための電子構成要素１１０６を含みうる。さらに、論理グループ１１０２は、オプションとして、アップリンク制御チャネル・サブフレーム内の基準信号シンボルにＤＴＸインジケータを含めるための電子構成要素１１０８を含みうる。論理グループ１１０２はさらに、基地局へアップリンク制御チャネル・サブフレームを送信するための電子構成要素１１１０を含みうる。さらに、システム１１００は、電子構成要素１１０４、１１０６、１１０８、１１１０に関連付けられた機能を実行するための命令群を保持するメモリ１１１２を含みうる。メモリ１１１２の外側にあると示されているが、電子構成要素１１０４、１１０６、１１０８、１１１０のうちの１または複数は、メモリ１１１２の内部に存在しうることが理解されるべきである。
【００９６】
図１２を参照して、無線通信環境においてアクセス端末によってシグナルされた不連続送信（ＤＴＸ）を検出することを可能にするシステム１２００が図示される。例えば、システム１２００は、基地局内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、アクセス端末からアップリンク制御チャネル・サブフレームを取得するための電子構成要素１２０４を含みうる。さらに、論理グループ１２０２は、アクセス端末によって遭遇されたダウンリンク・データ・チャネル誤検出、ダウンリンク制御チャネル誤検出、および正しい復号を区別する少なくとも１つのインジケータと、チャネル品質インジケータ（ＣＱＩ）フィードバックとを認識するために、アップリンク制御チャネル・サブフレームを復号するための電子構成要素１２０６を含みうる。さらに、システム１２００は、電子構成要素１２０４、１２０６に関連付けられた機能を実行するための命令群を保持するメモリ１２０８を含みうる。メモリ１２０８の外側にあると示されているが、電子構成要素１２０４、１２０６のうちの１または複数がメモリ１２０８内に存在しうることが理解されるべきである。
【００９７】
上述したものは、１または複数の実施形態の一例しか含んでいない。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011514735.tif 000003
【図２】
2011514735.tif 000004
【図３】
2011514735.tif 000005
【図４】
2011514735.tif 000006
【図５】
2011514735.tif 000007
【図６】
2011514735.tif 000008
【図７】
2011514735.tif 000009
【図８】
2011514735.tif 000010
【図９】
2011514735.tif 000011
【図１０】
2011514735.tif 000012
【図１１】
2011514735.tif 000013
【図１２】
2011514735.tif 000014
【国際調査報告】
2011514735.tif 000015
2011514735.tif 000016
2011514735.tif 000017
2011514735.tif 000018
2011514735.tif 000019